(57)【特許請求の範囲】
【請求項１】
一方が開口した２つの箱状体である糞すくい上げ部（３ａ）と糞受け部（３ｂ）のそれぞれの対向する開口端縁に設けられている２つのヒンジ（４ａ、４ｂ）と、該２つのヒンジ（４ａ、４ｂ）を間隔を開けて連結するヒンジ帯（４ｃ）とからなる二重ヒンジ（４）により糞すくい上げ部（３ａ）と糞受け部（３ｂ）が開閉自由に連結され、開口部を上としてヒンジ（４ａ）を山折り、ヒンジ（４ｂ）を谷折りにして糞すくい上げ部（３ａ）と糞受け部（３ｂ）がヒンジ帯（４ｃ）を基準として同一の回転方向に回転し、ヒンジ帯（４ｃ）が一方の箱状体である糞受け部（３ｂ）の内に格納され、糞すくい上げ部（３ａ）が糞受け部（３ｂ）の内に入り込んで糞すくい上げ部（３ａ）と糞受け部（３ｂ）が前記ヒンジ（４ａ）とヒンジ（４ｂ）の開けられた間隔に対応した深さで重なって互いに閉蓋し合い糞収容部（３）を形成する閉蓋動作および開蓋動作を可能とした二重ヒンジ（４）を備えたことを特徴とする糞採取器。
【請求項２】
前記２つの箱状体（３ａ、３ｂ）の底部（３ａｆ、３ｂｆ）の少なくともいずれかに手指を圧入するための指圧入くぼみ部（６）が設けられていることを特徴とする請求項１に記載の糞採取器。
【請求項３】
前記２つの箱状体（３ａ、３ｂ）を閉じた状態のままで固定するための係合部（７）が箱状体（３ａ、３ｂ）に設けられていることを特徴とする請求項１に記載の糞採取器。
【請求項４】
前記係合部（７）が、箱状体である糞受け部（３ｂ）の対向する２つの開口端縁（９ｂ、９ｃ）の少なくともいずれか片方に係合片折り曲げ部（７ｂｂ、７ｃｃ）を介して設けられた係合片（７ｂ、７ｃ）と、箱状体である糞すくい上げ部（３ａ）の、該係合片（７ｂ、７ｃ）と対応する側の開口端縁鍔部（５ｂ、５ｃ）であることを特徴とする請求項３に記載の糞採取器。
【請求項５】
前記係合部（７）が、箱状体である糞受け部（３ｂ）の対向する２つの開口端縁（９ｂ、９ｃ）の少なくともいずれか片方に係合片折り曲げ部（７ｂｂ、７ｃｃ）を介して設けられた係合片（７ｂ、７ｃ）と、箱状体である糞すくい上げ部（３ａ）の、該係合片（７ｂ、７ｃ）と対応する側の側壁部（３ａｅ）外側に設けられた外壁係合突起（８ｂ、８ｃ）であることを特徴とする請求項３に記載の糞採取器。
【請求項６】
前記係合部（７）が、箱状体である糞受け部（３ｂ）の対向する２つの開口端縁（９ｂ、９ｃ）に接続する側壁部（３ｂｅ）内側の少なくともいずれか片方に設けられた内壁係合突起（１２ｂ、１２ｃ）と、箱状体である糞すくい上げ部（３ａ）の、該内壁係合突起（１２ｂ、１２ｃ）と対応する側の開口端縁鍔部（５ｂ、５ｃ）であることを特徴とする請求項３に記載の糞採取器。
【請求項７】
前記係合片（７ｂ、７ｃ）に操作片折り曲げ部（１１ｂｂ、１１ｃｃ）を介して延伸部が設けられており、該延伸部が係合片（７ｂ、７ｃ）の係合を解除するための係合解除操作片（１１ｂ、１１ｃ）であることを特徴とする請求項４又は５記載の糞採取器。
【請求項８】
前記２つの箱状体（３ａ、３ｂ）を閉じた状態のままで固定するための嵌合部（１０）が設けられ、該嵌合部が２つの箱状体（３ａ、３ｂ）のうち一方の箱状体に設けられた嵌合凸部（１０ａ）と他方の箱状体に設けられた嵌合凹部（１０ｂ）からなることを特徴とする請求項１〜７いずれかに記載の糞採取器。
【請求項９】
前記請求項１〜８のいずれかに記載の糞採取器が、パルプモールド、紙、段ボール、木質材、樹脂成形体のうちから選ばれる少なくとも１種以上の材料からなることを特徴とする糞採取器。
【請求項１０】
前記請求項１〜９のいずれかに記載の糞採取器を用いて糞を採取する方法として下記の手順、
（手順１）
糞の排泄前に糞採取器の２つの箱状体（３ａ、３ｂ）を開口させ開口部を上向きにしてペットの尻の下に位置させる第１手順と、
（手順２）
糞採取器の２つの箱状体（３ａ、３ｂ）の少なくともいずれか一方の箱状体で糞を受け止めて採取する第２手順と、
（手順３）
糞採取器の２つの箱状体（３ａ、３ｂ）を閉じ合わせ互いに閉蓋させて形成される糞収容部（３）に糞を収容する第３手順と、
（手順４）
糞採取器の２つの箱状体（３ａ、３ｂ）を閉じた状態のままで互いに固定する第４手順と、
からなることを特徴とする糞採取方法。
【請求項１１】
前記請求項１〜９のいずれかに記載の糞採取器を用いて糞を採取する方法として下記の手順、
（手順１）
糞の排泄後に糞採取器の２つの箱状体（３ａ、３ｂ）を開口させ開口部を下向きにして保持する第１手順と、
（手順２）
排泄された糞の上から糞すくい上げ部先端（５ａ）と糞受け部先端（９ａ）を地面に押し当て２つの箱状体（３ａ、３ｂ）を閉じ合わせて糞を採取する第２手順と、
（手順３）
糞採取器の２つの箱状体（３ａ、３ｂ）を互いに閉蓋させて形成される糞収容部（３）に糞を収容する第３手順と、
（手順４）
糞採取器の２つの箱状体（３ａ、３ｂ）を閉じた状態のままで互いに固定する第４手順と、
からなることを特徴とする糞採取方法。
【発明の詳細な説明】
【技術分野】
【０００１】
本願発明は、製造が容易で実用性の高い糞採取器およびこれを用いた糞採取方法に関するものである。
【背景技術】
【０００２】
犬等のペットの散歩時の糞採取方法として、従来は地面に排泄された糞をスコップ、火挟み、割り箸等で取ったり、ビニール袋を手袋代わりにして手に被せビニール越しに手で掴み取ったり、ティッシュペーパー等を糞に被せてティッシュペーパー越しに手で掴み取るなどの方法が取られていた。
【０００３】
しかし、一旦糞を採取して汚れたスコップや火挟みは不潔で持ち運びに嵩張り、持ち帰る際に悪臭を放つなどして不快であり、汚れた部分が人の衣服や身体に触れて汚してしまう可能性があり、汚れを落とすためには紙で拭き取ったり水で洗い流すなどの手間を要するものであった。
【０００４】
また、ビニール袋やティッシュペーパー等を介して手で糞を掴み取る方法は、糞の柔らかい感触や生温かい温度を間接的にではあるが掌に感じるもので不快感を伴うものであった。
【０００５】
更に、割り箸等で糞をつまみ取って採取した後、食事等で食べ物を自分の口に運ぶ際に犬の糞をつまみ取ったことを思い出してしまうなど、割り箸等による糞の採取は実際の糞の採取時以外にも不快感を与えるものであった。
【０００６】
このような点を解決するため、プラスチック、金属、ポリ袋、紙、紙袋、粘着剤等を使用した複数の部材からなる糞の採取器具が種々考案されている。
【先行技術文献】
【特許文献】
【０００７】
【特許文献１】実用新案登録第３０８７３６９号公報
【特許文献２】特許第４２２４６３８号公報
【特許文献３】特許第４６５０６９２号公報
【発明の概要】
【発明が解決しようとする課題】
【０００８】
しかし、特許文献１、特許文献２、特許文献３のいずれの器具も複数の部材で構成され、部材の成形、組み立て等複数の製造工程が必要であった。
【０００９】
また、これらの器具の部材はプラスチックの成形品や金属加工品などで構成されているため、量産するには部材を成形するための金型等に要する初期費用が高額になったり、組み立て等の製造コストが高くなる可能性があった。
従い、量産して市場に安価で提供するには解決すべき課題の多いものであった。
【００１０】
また、特許文献１、特許文献２の器具は、糞が排泄されるのを犬等のペットの尻の下で待ち受けて採取するものであり、排泄後に既に排泄された糞を採取するものではなかった。
従い、待ち受けて採取することができず犬等のペットが糞を地面に排泄してしまった場合には、スコップ、火挟み、割り箸、ビニール袋、ティッシュペーパー等を使った旧来の方法で処理する必要が生じるものであった。
【００１１】
一方、特許文献３の器具は、排泄後に既に排泄された糞を掴み取って採取するものであって、排泄を待ち受けて採取するものではなかった。
従い、排泄を待ち受けて地面を糞で汚さずに採取できる状況であっても、一旦は糞を地面に排泄させた後に採取する必要が有るものであった。
【００１２】
このように、これらの器具は採取方法が限定されていて実用性が低いものであった。
【００１３】
本願発明の課題は、量産するための初期費用を低く抑え、製造工程を単純化し製造コストを低いものとし、排泄前の糞を待ち受けての採取、排泄後の既に排泄された糞の採取のいずれも可能で、軽量で嵩張らず、糞採取にまつわる不快感を軽減した実用性の高い糞採取器を提供することにある。
【課題を解決するための手段】
【００１４】
本願発明の請求項１に記載の糞採取器は、一方が開口した２つの箱状体の開口端縁どうしがヒンジ部のヒンジにより開閉自由に連結され、ヒンジを支点として一方の箱状体が他方の箱状体の内に入り込んで２つの箱状体が互いに閉蓋し合い糞を採取し、閉じ合わされた２つの箱状体により形成される密閉性の高い糞収容部に糞を収容する糞採取器である。
係る構成によれば、ヒンジを支点として２つの箱状体を閉じ合わせて容易に糞を採取することができ、２つの箱状体が互いに閉蓋し合い形成する密閉性の高い糞収容部に糞を容易に収容することができる。
【００１５】
本願発明の請求項２に記載の糞採取器は、前記ヒンジ部が、２つの箱状体のそれぞれの対向する開口端縁に設けられている２つのヒンジと、該２つのヒンジを間隔を開けて連結するヒンジ帯とからなる二重ヒンジである糞採取器である。
係る構成によれば、排泄後に既に排泄された糞を採取する場合、一方の箱状体のヒンジに対向する開口端縁が地面に密着し糞をすくい上げる動作をしながらもう一方の箱状体に糞を押しやり、地面を糞で汚すことを少なくし綺麗に糞を採取することができる。
【００１６】
本願発明の請求項３に記載の糞採取器は、一方のヒンジを山折り、他方のヒンジを谷折りにして閉蓋動作を行うことにより、２つの箱状体がヒンジ帯を基準として同一の回転方向に回転して閉蓋する二重ヒンジを備える糞採取器である。
係る構成によれば、糞を採取して２つの箱状体を閉じ合わせた際に、ヒンジ帯が一方の箱状体の内に格納され、２つの箱状体が均一に深く重なり合い糞収容部の密閉性を高め、糞を採取した後の糞採取器が嵩張らないようにすることができる。
【００１７】
本願発明の請求項４に記載の糞採取器は、前記２つの箱状体の底部の少なくともいずれかに手指を圧入するための指圧入くぼみ部を設けた糞採取器である。  
係る構成によれば、指圧入くぼみ部に指を圧入し指と糞採取器を圧着させて操作することにより２つの箱状体の開口部を下にして糞採取器を保持することが容易となり糞採取器の操作性が向上する。
【００１８】
本願発明の請求項５に記載の糞採取器は、前記２つの箱状体を閉じた状態のままで固定するための係合部が箱状体に設けられている糞採取器である。
係る構成によれば、前記２つの箱状体を閉じた状態のままで固定することができる。
【００１９】
本願発明の請求項６に記載の糞採取器は、前記係合部が、一方の箱状体の対向する２つの開口端縁の少なくともいずれか片方に設けられた係合片と、もう一方の箱状体の、該係合片と対応する側の開口端縁鍔部である糞採取器である。
係る構成によれば、前記２つの箱状体を閉じた状態のままで固定することができる。
【００２０】
本願発明の請求項７に記載の糞採取器は、前記係合部が、一方の箱状体の対向する２つの開口端縁の少なくともいずれか片方に設けられた係合片と、もう一方の箱状体の、該係合片と対応する側の側壁部外側に設けられた外壁係合突起である糞採取器である。
係る構成によれば、前記２つの箱状体を閉じた状態のままで固定することができる。
【００２１】
本願発明の請求項８に記載の糞採取器は、前記係合部が、一方の箱状体の対向する２つの開口端縁に接続する側壁部内側の少なくともいずれか片方に設けられた内壁係合突起と、もう一方の箱状体の、該内壁係合突起と対応する側の開口端縁鍔部である糞採取器である。
係る構成によれば、前記２つの箱状体を閉じた状態のままで固定することができる。
【００２２】
本願発明の請求項９に記載の糞採取器は、前記係合片に延伸部が設けられており、該延伸部が係合片の係合を解除するための係合解除操作片であることを特徴とする糞採取器である。
係る構成によれば、係合解除操作片を引く操作をすることにより、係合片の係合を簡単に解除することができる。
【００２３】
本願発明の請求項１０に記載の糞採取器は、前記２つの箱状体を閉じた状態のままで固定するための嵌合部が設けられ、該嵌合部が前記２つの箱状体のうち一方の箱状体に設けられた嵌合凸部と他方の箱状体に設けられた嵌合凹部からなる糞採取器である。
係る構成によれば、嵌合凸部と嵌合凹部を嵌合することにより、前記２つの箱状体を閉じた状態のままで固定することができる。
【００２４】
本願発明の請求項１１に記載の糞採取器は、請求項１〜１０のいずれかに記載の糞採取器が、パルプモールド、紙、段ボール、木質材、樹脂成形体のうちから選ばれる少なくとも１種以上の材料からなる糞採取器である。
係る構成によれば、量産するための初期費用を低く抑え製造工程を単純化し製造コストを低くすることができる。  
また、使用に際してユーザーが事前に紙、紙袋、ポリ袋等を器具に装着したり、部材の組み立て等を行う手間を無くすことができる。
更に、糞採取器を使い捨てとすることができる。
【００２５】
本願発明の請求項１２に記載の糞採取方法は、請求項１〜１１のいずれかに記載の糞採取器を用いて、糞の排泄前に糞採取器の２つの箱状体を開口させ開口部を上向きにしてペットの尻の下に位置させ、２つの箱状体の少なくともいずれか一方の箱状体で糞を受け止めて採取し、２つの箱状体を閉じ合わせ互いに閉蓋させて形成される糞収容部に糞を収容し、２つの箱状体を閉じた状態のままで互いに固定する糞採取方法である。
係る構成によれば、糞が地面に接して地面を汚すこと無く糞を採取することができる。
【００２６】
本願発明の請求項１３に記載の糞採取方法は、請求項１〜１１のいずれかに記載の糞採取器を用いて、糞の排泄後に糞採取器の２つの箱状体を開口させ開口部を下向きにして保持し、排泄された糞の上からそれぞれの箱状体のヒンジに対向する開口端縁を地面に押し当て２つの箱状体を閉じ合わせて糞を採取し、２つの箱状体を互いに閉蓋させて形成される糞収容部に糞を収容し、２つの箱状体を閉じた状態のままで互いに固定する糞採取方法である。
係る構成によれば、糞の生温かい温度を掌に感じること無く不快感を軽減して、既に排泄された糞を採取することができる。
【発明の効果】
【００２７】
本願発明の請求項１によれば、ヒンジを支点として一方の箱状体が他方の箱状体の内に入り込んで２つの箱状体が互いに閉蓋し合い容易に糞を採取することができ、閉じ合わされた２つの箱状体により形成される密閉性の高い糞収容部に糞を収容することができる。
【００２８】
本願発明の請求項２によれば、前記ヒンジ部が、２つの箱状体のそれぞれの対向する開口端縁に設けられている２つのヒンジと、該２つのヒンジを間隔を開けて連結するヒンジ帯とからなる二重ヒンジであることにより、排泄後に既に排泄された糞を採取する場合、一方の箱状体のヒンジに対向する開口端縁が地面に密着し糞をすくい上げる動作をしながらもう一方の箱状体に糞を押しやり、地面を糞で汚すことを少なくし綺麗に糞を採取することができる。
【００２９】
本願発明の請求項３によれば、糞を採取して２つの箱状体を閉じ合わせた際に、ヒンジ帯が一方の箱状体の内に格納され、２つの箱状体が均一に深く重なり合い糞収容部の密閉性を高め、糞を採取した後の糞採取器が嵩張らないようにすることができる。
【００３０】
本願発明の請求項４によれば、指圧入くぼみ部に指を圧入し指と糞採取器を圧着させて操作することにより２つの箱状体の開口部を下にして糞採取器を保持することが容易となり糞採取器の操作性が向上する。
【００３１】
本願発明の請求項５によれば、係合部が箱状体に設けられているため、前記２つの箱状体を閉じた状態のままで固定することができる。
【００３２】
本願発明の請求項６によれば、一方の箱状体の対向する２つの開口端縁の少なくともいずれか片方に設けられた係合片と、もう一方の箱状体の、該係合片と対応する側の開口端縁鍔部を係合させることにより、前記２つの箱状体を閉じた状態のままで固定することができる。
【００３３】
本願発明の請求項７によれば、一方の箱状体の対向する２つの開口端縁の少なくともいずれか片方に設けられた係合片と、もう一方の箱状体の、該係合片と対応する側の側壁部外側に設けられた外壁係合突起を係合させることにより、前記２つの箱状体を閉じた状態のままで固定することができる。
【００３４】
本願発明の請求項８によれば、一方の箱状体の対向する２つの開口端縁に接続する側壁部内側の少なくともいずれか片方に設けられた内壁係合突起と、もう一方の箱状体の、該内壁係合突起と対応する側の開口端縁鍔部を係合させることにより、前記２つの箱状体を閉じた状態のままで固定することができる。
【００３５】
本願発明の請求項９によれば、前記係合片の延伸部として設けられた係合解除操作片を引く操作をすることにより、係合片の係合を簡単に解除することができる。
【００３６】
本願発明の請求項１０によれば、嵌合部として前記２つの箱状体のうち一方の箱状体に設けられた嵌合凸部と他方の箱状体に設けられた嵌合凹部を嵌合することにより、前記２つの箱状体を閉じた状態のままで固定することができる。
【００３７】
本願発明の請求項１１によれば、請求項１〜１０の何れかに記載の糞採取器が、パルプモールド、紙、段ボール、木質材、樹脂成形体のうちから選ばれる少なくとも１種以上の材料からなる糞採取器であるため、量産するための初期費用を低く抑え製造工程を単純化し製造コストを低くすることができる。  
また、使用に際してユーザーが事前に紙、紙袋、ポリ袋等を器具に装着したり、部材の組み立て等を行う手間を無くすことができる。
更に、糞採取器を使い捨てとすることができるので衛生的である。
【００３８】
本願発明の請求項１２によれば、請求項１〜１１のいずれかに記載の糞採取器を用いて、糞の排泄前に糞採取器の２つの箱状体を開口させ開口部を上向きにしてペットの尻の下に位置させ、２つの箱状体の少なくともいずれか一方の箱状体で糞を受け止めて採取し、２つの箱状体を閉じ合わせ互いに閉蓋させて形成される糞収容部に糞を収容し、２つの箱状体を閉じた状態のままで互いに固定する糞採取方法である。
係る構成によれば、糞が地面に接して地面を汚すこと無く糞を採取することができる。
【００３９】
本願発明の請求項１３によれば、請求項１〜１１のいずれかに記載の糞採取器を用いて、糞の排泄後に糞採取器の２つの箱状体を開口させ開口部を下向きにして保持し、排泄された糞の上からそれぞれの箱状体のヒンジに対向する開口端縁を地面に押し当て２つの箱状体を閉じ合わせて糞を採取し、２つの箱状体を互いに閉蓋させて形成される糞収容部に糞を収容し、２つの箱状体を閉じた状態のままで互いに固定する糞採取方法である。
係る構成によれば、糞の生温かい温度を掌に感じること無く不快感を軽減して、既に排泄された糞を採取することができる。
【図面の簡単な説明】
【００４０】
【図１】図１は、本願発明の一実施の形態であって、本願発明１および４の糞採取器を展開して示す斜視図である。
【図２】図２は、図１のＡ−Ａ断面図である。
【図３】図３は、図１の態様から糞採取器を閉じた態様を示す斜視図である。
【図４】図４は、図３のＢ−Ｂ断面図である。
【図５】図５は、図３のＣ−Ｃ断面図である。
【図６】図６は、本願発明の一実施の形態であって、本願発明１、２、３、４の糞採取器を展開して示す斜視図である。
【図７】図７は、図６のＤ−Ｄ断面図である。
【図８】図８は、図６の態様から糞採取器を閉じた態様を示す斜視図である。
【図９】図９は、図８のＥ−Ｅ断面図である。
【図１０】図１０は、糞採取器を閉じる過程の態様を示すＥ−Ｅ断面図である。
【図１１】図１１は、図８のＦ−Ｆ断面図である。
【図１２】図１２は、本願発明の一実施の形態であって、本願発明１、２、３、４、５、６、７、９、１０の糞採取器を展開して示す斜視図である。
【図１３】図１３は、図１２のＧ−Ｇ断面図である。
【図１４】図１４は、図１２の態様から糞採取器を閉じた態様を示す斜視図である。
【図１５】図１５は、図１４のＨ−Ｈ断面図である。
【図１６】図１６は、図１４のＩ−Ｉ断面図である。
【図１７】図１７は、本願発明６の係合片と開口端縁鍔部を係合させ本願発明９の係合解除操作片を折り曲げた態様を示すＩ−Ｉ断面図である。
【図１８】図１８は、図１７の要部拡大図であって、本願発明６の係合片と開口端縁鍔部を係合させ本願発明９の係合解除操作片を折り曲げた態様を示す断面図である。
【図１９】図１９は、図１７の要部拡大図であって、本願発明７の係合片と外壁係合突起を係合させ本願発明９の係合解除操作片を折り曲げた態様を示す断面図である。
【図２０】図２０は、本願発明の一実施の形態であって、本願発明１、２、３、４、８の糞採取器を展開して示す斜視図である。
【図２１】図２１は、図２０のＪ−Ｊ断面図である。
【図２２】図２２は、図２０の態様から糞採取器を閉じた態様を示す斜視図である。
【図２３】図２３は、図２２のＫ−Ｋ断面図である。
【図２４】図２４は、図２２のＬ−Ｌ断面図である。
【図２５】図２５は、図２４の要部拡大図であって、本願発明８の内壁係合突起と開口端縁鍔部を係合させた態様を示す断面図である。
【発明を実施するための形態】
【００４１】
本願発明の糞採取器１は、図１、２、３、４、５に示すように、一方が開口した２つの箱状体である糞すくい上げ部３ａと糞受け部３ｂの開口端縁どうしがヒンジ部２のヒンジ２ａにより開閉自由に連結され、ヒンジ２ａを支点として糞すくい上げ部３ａと糞受け部３ｂを閉じ合わせて糞を採取し、糞すくい上げ部３ａと糞受け部３ｂを閉じ合わせた際に糞すくい上げ部３ａが糞受け部３ｂの内に入り込み、糞すくい上げ部開口端縁５が側壁部３ｂｅの内側に密着して互いに閉蓋し合い形成する糞収容部３に糞を収容する糞採取器である。
【００４２】
図４、５に示すように、糞すくい上げ部３ａが糞受け部３ｂの奥に入り込むにしたがって、糞すくい上げ部開口端縁５と側壁部３ｂｅが互いにより強く密着し合うよう、側壁部３ｂｅは底部３ｂｆに向かって狭くなる形状とすることが好ましい。
【００４３】
排泄後に既に排泄された糞を採取する場合に、図１０に示すように、糞すくい上げ部先端５ａが地面に密着し糞をすくい上げる動作をしながら糞受け部３ｂに糞を押しやり、地面を糞で汚すことを少なくし綺麗に糞を採取することができるよう、図６、７、８、９、１０に示すように、糞すくい上げ部３ａの開口端縁にヒンジ４ａ、糞受け部３ｂの開口端縁にヒンジ４ｂの２つのヒンジを設け、これら２つのヒンジを間隔を開けて連結するヒンジ帯４ｃとからなる二重ヒンジ４をヒンジ部２に備えることが好ましい。
【００４４】
糞を採取して糞すくい上げ部３ａと糞受け部３ｂを閉じ合わせる際に、図９、１０に示すように、開口部を上としてヒンジ４ａを山折り、ヒンジ４ｂを谷折りにして閉蓋動作を行うことにより、糞すくい上げ部３ａと糞受け部３ｂがヒンジ帯４ｃを基準として同一の回転方向に回転して閉蓋し、ヒンジ帯４ｃは糞受け部３ｂの内に格納され、糞すくい上げ部３ａと糞受け部３ｂが均一に深く重なり合い糞収容部３の密閉性を高め、糞を採取した後の糞採取器１が嵩張らないようにすることができる。
【００４５】
ヒンジ４ａとヒンジ４ｂの間隔は、操作性を考慮し概ね１０ｍｍ〜３０ｍｍの範囲内とすることが好ましい。
【００４６】
本願発明の糞採取器１は、２つの箱状体３ａ、３ｂの開口部を下にして糞採取器１を保持することを容易にして操作性が向上するよう、図３、４、８、９に示すように、第一指を圧入するための指圧入くぼみ部６を糞すくい上げ部３ａの底部３ａｆに設けることが好ましい。
【００４７】
図４、９に示すように、指圧入くぼみ部６は突き抜けていないくぼみとし、指圧入くぼみ部６に圧入した指が指圧入くぼみ部６の内面と密着し２つの箱状体３ａ、３ｂの開口部を下にして糞採取器１を保持することが容易となり操作性が向上するよう、指圧入くぼみ部６の内径は奥に向かって徐々に狭くなる形状が好ましい。  また、指圧入くぼみ部６の断面形状を円形の他に多角形や花形又は星形とすることにより、指の太さの違いへの適応範囲を広くすることができる。
【００４８】
指圧入くぼみ部６の位置を、図５、１１に示すように、開口端縁鍔部５ｂ、５ｃから等距離の位置とすることにより、左右どちらの手でも操作し易いものとすることが好ましい。
【００４９】
本願発明の糞採取器１は、２つの箱状体３ａ、３ｂを閉じた状態のままで固定するための係合部７を２つの箱状体３ａ、３ｂに設けることが好ましい。
係合部７の下位概念として、
第１は係合片７ｂ、７ｃと開口端縁鍔部５ｂ、５ｃ、
第２は係合片７ｂ、７ｃと外壁係合突起８ｂ、８ｃ、
第３は内壁係合突起１２ｂ、１２ｃと開口端縁鍔部５ｂ、５ｃ、
を好適な実施形態として示すことができる。
また、本願発明の糞採取器１は、図１２、１４に示すように、２つの箱状体である糞すくい上げ部３ａと糞受け部３ｂが互いに閉蓋し合い閉じた状態のままで固定するための係合片７ｂ、７ｃを糞受け部３ｂの対向する開口端縁９ｂ、９ｃに設けることが好ましい。  
【００５０】
糞すくい上げ部３ａと糞受部３ｂを閉じ合わせて糞を採取し、糞すくい上げ部３ａと糞受け部３ｂを互いに閉蓋させて糞収容部３に糞を収容後、図１７、１８に示すように、係合片７ｂ、７ｃのいずれか少なくとも１つを折り返し、その復元力によって係合片７ｂ、７ｃのいずれか少なくとも１つを糞すくい上げ部３ａの側壁部３ａｅ外側に押し当て、係合片７ｂ、７ｃのいずれか少なくとも１つと該係合片７ｂ、７ｃと対応する側の開口端縁鍔部５ｂ、５ｃを係合させることにより、糞すくい上げ部３ａと糞受け部３ｂを閉じた状態のままで互いに固定することができる。
【００５１】
図１６、１９に示すように、糞すくい上げ部３ａの側壁部３ａｅ外側に外壁係合突起８ｂ、８ｃを設け、係合片７ｂ、７ｃのいずれか少なくとも１つと、該係合片７ｂ、７ｃと対応する側の外壁係合突起８ｂ、８ｃを係合させても良い。
【００５２】
また、図２０、２２、２４、２５に示すように、内壁係合突起１２ｂ、１２ｃを糞受け部３ｂの対向する開口端縁９ｂ、９ｃに接続する側壁部３ｂｅ内側に設け、内壁係合突起１２ｂ、１２ｃのいずれか少なくとも１つと、該内壁係合突起１２ｂ、１２ｃと対応する側の開口端縁鍔部５ｂ、５ｃを係合させても良い。
【００５３】
本願発明の糞採取器１は、図１２、１４、１６、１７、１８、１９に示すように、前記係合片７ｂ、７ｃの係合を解除するための係合解除操作片１１ｂ、１１ｃを、操作片折り曲げ部１１ｂｂ、１１ｃｃを介して係合片７ｂ、７ｃの延伸部に設けることができる。  係合を解除するにあたっては、係合解除操作片１１ｂ、１１ｃを引く操作をすることにより、係合片７ｂ、７ｃの係合を簡単に解除することができる。
【００５４】
また、本願発明の糞採取器１は、図１２、１３、１４、１５、１６、１７、１８、１９に示すように、糞すくい上げ部３ａと糞受け部３ｂを閉じた状態のままで固定するための嵌合部１０として、嵌合凸部１０ａを例えば指圧入くぼみ部６の尖端部分に、嵌合凹部１０ｂを糞受け部３ｂの底部３ｂｆに設けることができる。
【００５５】
本願発明の糞採取器１は、量産するための初期費用を低く抑え製造工程を単純化し製造コストを低くするため、パルプモールド、紙、段ボール、木質材、樹脂成形体のうちから選ばれる少なくとも１種以上の材料から製造することが好ましい。
【００５６】
本願発明の糞採取器１は、パルプモールド、紙、段ボール、木質材、樹脂成形体のうちから選ばれる少なくとも１種以上の材料から製造とすることにより、各種薬品を材料に添加又は糞採取器１に塗布することができる。薬品の種類に応じて種々の薬品付与効果が得られる。薬品としては、例えば、紙力増強剤、消臭剤、芳香剤、消毒剤、殺菌剤等があげられる。
また、各種染料や顔料を添加、塗布、印刷、貼付することができる。蛍光色や原色など視覚的に目立つ色の染料や顔料を添加、塗布、印刷、貼付することにより、ユーザーが糞を適切に採取して処理していることを周囲により良く知らしめることが可能となり、糞採取器１の商品としての宣伝効果が期待できる。
【００５７】
また、使用に際してユーザーが事前に紙、紙袋、ポリ袋等を器具に装着したり部材の組み立て等を行う手間を無くすことができる。
更に、衛生的に使用するために糞採取器１を使い捨てとすることができる。
【００５８】
本願発明の糞採取器１は、パルプモールド、紙、段ボールのうちから選ばれる少なくとも１種以上の材料から製造した場合、紙力増強剤を添加又は塗布することにより、糞採取器１が水分を帯びた際の強度を高めることが好ましい。
また、ラミネート加工を施し耐水性を高めることもできる。
【００５９】
排泄を待ち受けて糞を採取する方法は、糞の排泄前に糞すくい上げ部３ａおよび糞受け部３ｂを開口させ、開口部を上向きにしてペットの尻の下に位置させ、糞すくい上げ部３ａ、糞受け部３ｂの少なくともいずれか一方で糞を受け止めて採取し、糞すくい上げ部３ａと糞受け部３ｂを閉じ合わせ互いに閉蓋させて形成される糞収容部３に糞を収容し、糞すくい上げ部３ａと糞受け部３ｂを閉じた状態のままで互いに固定する。
【００６０】
排泄後に既に排泄された糞を採取する方法は、糞の排泄後に糞すくい上げ部３ａおよび糞受け部３ｂを開口させ開口部を下向きにして保持し、排泄された糞の上から糞すくい上げ部先端５ａと糞受け部先端９ａを地面に押し当て、糞すくい上げ部３ａと糞受け部３ｂを閉じ合わせて糞を採取し、糞すくい上げ部３ａと糞受け部３ｂを互いに閉蓋させて形成される糞収容部３に糞を収容し、糞すくい上げ部３ａと糞受け部３ｂを閉じた状態のままで互いに固定する。
【産業上の利用可能性】
【００６１】
本願発明の糞採取器およびこれを用いた糞採取方法は、量産するための初期費用や製造コストが低く実用性が高いため、散歩時に糞の採取が必要なペットの飼い主や糞処理者が利用可能であり、産業上の利用可能性が大きい。
【符号の説明】
【００６２】
１    糞採取器
２     ヒンジ部
２ａ    ヒンジ
３     糞収容部
３ａ    糞すくい上げ部
３ａｅ    側壁部
３ａｆ    底部
３ｂ    糞受け部
３ｂｅ    側壁部
３ｂｆ    底部
４     二重ヒンジ
４ａ    ヒンジ
４ｂ   ヒンジ
４ｃ  ヒンジ帯
５    糞すくい上げ部開口端縁
５ａ    糞すくい上げ部先端
５ｂ    開口端縁鍔部
５ｃ    開口端縁鍔部
６      指圧入くぼみ部
７    係合部
７ｂ     係合片
７ｂｂ  係合片折り曲げ部
７ｃ     係合片
７ｃｃ  係合片折り曲げ部
８ｂ      外壁係合突起
８ｃ     外壁係合突起
９ａ     糞受け部先端
９ｂ    開口端縁
９ｃ    開口端縁
１０    嵌合部
１０ａ      嵌合凸部
１０ｂ      嵌合凹部
１１ｂ    係合解除操作片
１１ｂｂ  操作片折り曲げ部
１１ｃ    係合解除操作片
１１ｃｃ  操作片折り曲げ部
１２ｂ    内壁係合突起
１２ｃ    内壁係合突起
【図１】
0006273517.tif 000002
【図２】
0006273517.tif 000003
【図３】
0006273517.tif 000004
【図４】
0006273517.tif 000005
【図５】
0006273517.tif 000006
【図６】
0006273517.tif 000007
【図７】
0006273517.tif 000008
【図８】
0006273517.tif 000009
【図９】
0006273517.tif 000010
【図１０】
0006273517.tif 000011
【図１１】
0006273517.tif 000012
【図１２】
0006273517.tif 000013
【図１３】
0006273517.tif 000014
【図１４】
0006273517.tif 000015
【図１５】
0006273517.tif 000016
【図１６】
0006273517.tif 000017
【図１７】
0006273517.tif 000018
【図１８】
0006273517.tif 000019
【図１９】
0006273517.tif 000020
【図２０】
0006273517.tif 000021
【図２１】
0006273517.tif 000022
【図２２】
0006273517.tif 000023
【図２３】
0006273517.tif 000024
【図２４】
0006273517.tif 000025
【図２５】
0006273517.tif 000026